(57)【要約】【課題】充電ユニットに情報装置を載置しても、前面を視認できる状態に情報装置を支持させても、情報装置の二次電池を充電ユニットに充電させることができる、装置充電システムを提供する。【解決手段】装置充電システム１０は、二次電池が搭載された情報装置であるスマートフォン１００と、二面を有する形状で一面に載置されたスマートフォン１００の二次電池を充電する充電ユニット２００と、スマートフォン１００および充電ユニット２００を着脱自在に支持する着脱支持部３２０が設けられた支持台座３００と、を有し、着脱支持部３２０にスマートフォン１００および充電ユニット２００が支持されることにより二次電池が充電される。【選択図】図１
2014103728.tif 000002
【特許請求の範囲】
【請求項１】
二次電池が搭載された情報装置と、
前記二次電池に給電する充電ユニットと、
前記情報装置および前記充電ユニットを着脱自在に支持する着脱支持部が設けられた支持台座と、を有し、
前記支持台座は、前記着脱支持部で、前記情報装置および前記充電ユニットを給電可能に支持する、
装置充電システム。
【請求項２】
前記充電ユニットは、二面を有する形状で、その一面に載置された前記情報装置の前記二次電池へ給電する請求項１に記載の装置充電システム。
【請求項３】
前記情報装置は、主面にディスプレイを有し、
前記充電ユニットは、二面を有する形状のユニット本体と、前記ユニット本体の一面に配置された前記情報装置の二次電池を充電する充電部と、を有し、
前記支持台座は、前記着脱支持部により前記主面が前面に位置する状態に前記情報装置を支持するとともに、前記充電ユニットを、その前面が前記情報装置の後面と対向するように支持する、
請求項１又は２に記載の装置充電システム。
【請求項４】
請求項１から３の何れか一項に記載の装置充電システムの情報装置であって、
前記着脱支持部に着脱自在に支持される装置本体と、
前記装置本体に搭載されていて前記充電ユニットにより充電される前記二次電池と、
を有する情報装置。
【請求項５】
請求項１から３の何れか一項に記載の装置充電システムの充電ユニットであって、
前記着脱支持部に着脱自在に支持されるユニット本体と、
前記ユニット本体に搭載されていて前記二次電池を充電する充電部と、
を有する充電ユニット。
【請求項６】
請求項１から３の何れか一項に記載の装置充電システムの支持台座であって、
台座本体と、
前記台座本体に設けられて前記情報装置および前記充電ユニットを着脱自在に支持する前記着脱支持部と、
を有する支持台座。
【請求項７】
前記着脱支持部は、前記情報装置および前記充電ユニットが挿入される凹状に形成された、請求項６に記載の支持台座。
【請求項８】
前記着脱支持部に、
前記充電ユニットが載置されるユニット載置部と、
前記情報装置が載置される装置載置部と、
が形成された請求項７に記載の支持台座。
【請求項９】
前記ユニット載置部は、前記充電ユニットを単独で支持し、
前記装置載置部は、前記ユニット載置部に支持された前記充電ユニットと協働して前記情報装置を支持する、
請求項８に記載の支持台座。
【請求項１０】
前記着脱支持部に支持された前記充電ユニットを保持するロック機構を、さらに有する、
請求項６から９の何れか一項に記載の支持台座。
【請求項１１】
前記充電ユニットをスライド自在に支持するガイドリブが前記着脱支持部に形成された、
請求項６から１０の何れか一項に記載の支持台座。
【請求項１２】
前記情報装置および前記充電ユニットが細長形状に形成されており、
前記支持台座は、前記着脱支持部により前記情報装置および前記充電ユニットの各々を横長に支持する、
請求項６から１１の何れか一項に記載の支持台座。
【請求項１３】
前記情報装置および前記充電ユニットが細長形状に形成されており、
前記支持台座は、前記着脱支持部により前記情報装置および前記充電ユニットの各々を縦長に支持する、
請求項６から１２の何れか一項に記載の支持台座。
【請求項１４】
前記情報装置および前記充電ユニットが細長形状に形成されており、
前記支持台座は、前記着脱支持部により前記情報装置を縦長に支持するとともに前記充電ユニットを横長に支持する、
請求項６から１３の何れか一項に記載の支持台座。
【請求項１５】
前面下部が前傾し、
前面上部が後傾し、
上面が後傾し、
後面が後傾し、
左側面の前部が前方から後方に向かって左側に傾斜し、
右側面の前部が前方から後方に向かって右側に傾斜し、
前記左側面の後部が前方から後方に向かって右側に傾斜し、
前記右側面の後部が前方から後方に向かって左側に傾斜した、
請求項６から１４の何れか一項に記載の支持台座。
【請求項１６】
下向きの面の明度が低く上向きの面の明度が高く、
前記下向きの面の粗度が高く前記上向きの面の粗度が低い、
請求項６から１５の何れか一項に記載の支持台座。
【請求項１７】
二次電池を情報装置に搭載し、
支持台座に設けられた着脱支持部に充電ユニットおよび前記情報装置を着脱自在に支持させ、
前記着脱支持部に支持された前記情報装置の二次電池を前記充電ユニットに充電させる、
装置充電方法。
【発明の詳細な説明】
【技術分野】
【０００１】
本発明は、情報装置の二次電池を充電する装置充電システム、その情報装置、充電ユニット、支持台座、装置充電方法、に関する。
【背景技術】
【０００２】
上面が水平な充電装置の提案がある（たとえば、特許文献１参照）。この充電装置では、上面に情報装置を水平に載置するだけで、情報装置に内蔵されている二次電池を充電することができる。一方、情報装置を傾斜させて支持する充電装置の提案もある（たとえば、特許文献２，３参照）。このような充電装置では、たとえば、情報装置を充電しながら、その前面のタッチパネルを快適に使用するようなことができる。
【先行技術文献】
【特許文献】
【０００３】
【特許文献１】特開２００８−２９５１９１号公報
【特許文献２】特開２００８−１６７５８２号公報
【特許文献３】特開２０１０−１３６５１２号公報
【発明の概要】
【発明が解決しようとする課題】
【０００４】
しかしながら、上面が水平な充電装置では、情報装置を充電装置に水平に載置するだけで充電することができるが、情報装置を充電しながらタッチパネルを快適に使用するようなことはできない。一方、情報装置を傾斜させて支持する充電装置では、情報装置を充電しながらタッチパネルを快適に使用するようなことができるが、情報装置を充電装置に水平に載置するだけで充電することはできない。
【０００５】
本発明の目的は、上述のような課題を解決するための技術を提供することである。
【課題を解決するための手段】
【０００６】
本発明の装置充電システムは、二次電池が搭載された情報装置と、前記二次電池に給電する充電ユニットと、前記情報装置および前記充電ユニットを着脱自在に支持する着脱支持部が設けられた支持台座と、を有し、前記支持台座は、前記着脱支持部で、前記情報装置および前記充電ユニットを給電可能に支持する。
【０００７】
本発明の情報装置は、本発明の装置充電システムの情報装置であって、前記着脱支持部に着脱自在に支持される装置本体と、前記装置本体に搭載されていて前記充電ユニットにより充電される前記二次電池と、を有する。
【０００８】
本発明の充電ユニットは、本発明の装置充電システムの充電ユニットであって、前記着脱支持部に着脱自在に支持されるユニット本体と、前記ユニット本体に搭載されていて前記二次電池を充電する充電部と、を有する。
【０００９】
本発明の支持台座は、本発明の装置充電システムの支持台座であって、台座本体と、前記台座本体に設けられて前記情報装置および前記充電ユニットを着脱自在に支持する前記着脱支持部と、を有する。
【００１０】
本発明の装置充電方法は、二次電池を情報装置に搭載し、支持台座に設けられた着脱支持部に充電ユニットおよび前記情報装置を着脱自在に支持させ、前記着脱支持部に支持された前記情報装置の二次電池を前記充電ユニットに充電させる。
【発明の効果】
【００１１】
本発明の装置充電システムでは、充電ユニットに情報装置を載置しても、支持台座の着脱支持部に情報装置および充電ユニットを支持させても、情報装置の二次電池を充電ユニットに充電させることができる。
【００１２】
本発明の情報装置は、充電ユニットに載置されても、支持台座の着脱支持部に充電ユニットとともに支持されても、その二次電池を充電ユニットに充電させることができる。
【００１３】
本発明の充電ユニットは、情報装置が載置されても、支持台座の着脱支持部に情報装置とともに支持されても、情報装置の二次電池を充電することができる。
【００１４】
本発明の装置充電方法では、充電ユニットに情報装置を載置しても、支持台座の着脱支持部に情報装置および充電ユニットを支持させても、情報装置の二次電池を充電ユニットに充電させることができる。
【図面の簡単な説明】
【００１５】
【図１】本発明の実施の形態における装置充電システムの第二の充電状態の外観を示す斜視図である。
【図２】本発明の実施の形態における装置充電システムの第二の充電状態の外観を示す三面図である。
【図３】本発明の実施の形態における装置充電システムの第二の充電状態の外観を示す二面図である。
【図４】本発明の実施の形態における装置充電システムの情報装置であるスマートフォンの外観を示す斜視図である。
【図５】本発明の実施の形態における装置充電システムの充電ユニットの外観を示す三面図である。
【図６】本発明の実施の形態における装置充電システムの充電ユニットの外観を示す二面図である。
【図７】本発明の実施の形態における装置充電システムの支持台座の外観を示す四面図である。
【図８】本発明の実施の形態における装置充電システムの支持台座の外観および内部構造を示す側面図および縦断側面図である。
【図９】本発明の実施の形態における装置充電システムの第一の充電状態の外観を示す斜視図である。
【図１０】本発明の実施の形態における装置充電システムの一変形例の要部を示す模式的な縦断正面図である。
【図１１】本発明の実施の形態における装置充電システムの一変形例の第三の充電状態の外観を示す斜視図である。
【図１２】本発明の実施の形態における装置充電システムの一変形例の第四の充電状態の外観を示す斜視図である。
【発明を実施するための形態】
【００１６】
本発明の実施の一形態に関して図１ないし図９を参照して以下に説明する。本実施の形態の装置充電システム１０は、図１ないし図３に示すように、情報装置であるスマートフォン１００と、充電ユニット２００と、支持台座３００と、を有している。本実施の形態のスマートフォン１００は、図１ないし図４に示すように、装置本体１１０を有している。このスマートフォン１００の装置本体１１０は、細長形状である扁平な直方体状に形成されており、二面である前面１１１および後面１１２を有する。このスマートフォン１００の装置本体１１０は、二次電池（図示せず）などが内蔵されており、一面である前面１１１に、タッチパネル１２０、通話用のスピーカー１３０、通話用のマイクロフォン１４０、が設けられている。
【００１７】
本実施の形態の充電ユニット２００は、図１ないし図３および図５および図６に示すように、ユニット本体２１０を有している。この充電ユニット２００のユニット本体２１０は、スマートフォン１００の装置本体１１０より一回り大型の、細長形状である扁平な直方体状に形成されており、二面である前面２１１および後面２１２を有する。この充電ユニット２００のユニット本体２１０は、スマートフォン１００の二次電池を充電する充電部（図示せず）が内蔵されている。この充電ユニット２００のユニット本体２１０は、後面２１２の四隅にゴム脚２２０が装着されている。そこで、この充電ユニット２００は、図９に示すように、通常は後面２１２を下面として机面などに載置され、その上面となる前面２１１に第一の充電状態としてスマートフォン１００が載置される。すると、このように載置されたスマートフォン１００の二次電池を、充電ユニット２００の充電部が電磁誘導などにより充電する。
【００１８】
本実施の形態の支持台座３００は、図１ないし図３および図７および図８に示すように、たとえば、白色の樹脂により一体成形された台座本体３１０を有している。この支持台座３００の台座本体３１０は、上面３１３に着脱支持部３２０が形成されている。この支持台座３００は、台座本体３１０の着脱支持部３２０により、図１ないし図３に示すように、タッチパネル１２０が前面に位置する状態にスマートフォン１００を支持するとともに、充電ユニット２００を、その前面２１１がスマートフォン１００の後面１１２と対向するように支持する。
【００１９】
より具体的には、支持台座３００の着脱支持部３２０は、ユニット載置部３２１と装置載置部３２２からなる。ユニット載置部３２１は、前述のように扁平な直方体状の充電ユニット２００が、前後方向に扁平で横長の状態で上方から挿入される凹状に形成されている。装置載置部３２２は、前述のように扁平な直方体状のスマートフォン１００が、前後方向に扁平で横長の状態で上方から挿入される凹状に形成されている。
【００２０】
ユニット載置部３２１は、着脱支持部３２０の後部として形成されており、装置載置部３２２は、着脱支持部３２０の前部として形成されている。このようなユニット載置部３２１および装置載置部３２２は、着脱支持部３２０として一体に連通している。これらのユニット載置部３２１および装置載置部３２２は、鉛直ではなく後傾した凹状に形成されているので、充電ユニット２００およびスマートフォン１００を、たとえば、水平面から５０°などに後傾した状態に着脱自在に各々支持する。充電ユニット２００は、着脱支持部３２０のユニット載置部３２１に単独で支持されるが、スマートフォン１００は、装置載置部３２２およびユニット載置部３２１に支持された充電ユニット２００により支持される。
【００２１】
前述のように充電ユニット２００のユニット本体２１０の下面となる後面２１２の四隅にはゴム脚２２０が装着されている。しかしながら、図７(ａ)に示すように、このゴム脚２２０より厚みがある縦長の左右一対のガイドリブ３４０が、支持台座３００の着脱支持部３２０のユニット載置部３２１の後面に形成されている。このため、支持台座３００の着脱支持部３２０のユニット載置部３２１に充電ユニット２００を挿抜するとき、その充電ユニット２００の後面２１２が左右一対のガイドリブ３４０でスライド自在にガイドされるので、充電ユニット２００のゴム脚３２０が支持台座３００のユニット載置部３２１の後面に接触しない。
【００２２】
また、図５(ｃ)に示すように、充電ユニット２００のユニット本体２１０の後面２１２にはロック凹部２３０が形成されており、図７(ａ)および図８(ｂ)に示すように、支持台座３００の着脱支持部３２０のユニット載置部３２１の後面にはロック機構３５０も形成されている。このロック機構３５０は、たとえば、上下方向に揺動自在に弾性的に支持されており、充電ユニット２００のロック凹部２３０に弾性的に係脱自在に係合する。このため、充電ユニット２００は、支持台座３００の着脱支持部３２０のユニット載置部３２１に挿入されると、弾性的に係脱自在に保持される。
【００２３】
本実施の形態の支持台座３００の台座本体３１０は、上下方向に扁平な外形に形成されているが、単純な直方体状ではなく複雑な外形に形成されている。すなわち、支持台座３００の台座本体３１０は、図１ないし図３および図７および図８に示すように、前面下部３１１が前傾しており、前面上部３１２が後傾している。この支持台座３００の前面上部３１２は、着脱支持部３２０に支持された充電ユニット２００の前面２１１およびスマートフォン１００の前面１１１と、平行に後傾している。さらには、本実施の形態の支持台座３００の台座本体３１０は、上面３１３が後傾しており、後面３１４も後傾している。この支持台座３００の後面３１４も、着脱支持部３２０に支持された充電ユニット２００の後面２１２およびスマートフォン１００の後面１１２と、平行に後傾しているので、前面上部３１２とも平行に後傾している。
【００２４】
さらには、本実施の形態の支持台座３００の台座本体３１０は、左右対称に形成されており、左側面の前部３１５が前方から後方に向かって左側に傾斜し、右側面の前部３１６が前方から後方に向かって右側に傾斜している。そして、左側面の後部３１７が前方から後方に向かって右側に傾斜し、右側面の後部３１８が前方から後方に向かって左側に傾斜している。なお、上述のような形状の支持台座３００の台座本体３１０の下面３１９は、図２(ｃ)に示すように、前後方向に扁平な台形状に形成されており、その四隅にはゴム脚３３０が装着されている。
【００２５】
上述のような構成において、本実施の形態の装置充電システム１０では、スマートフォン１００の二次電池を充電ユニット２００の充電部により充電するとき、第一の充電状態と第二の充電状態とを選択することができる。すなわち、従来と同様に、図９に示すように、第一の充電状態として、充電ユニット２００を後面２１２が下面となるように机面などに載置し、その上面となる前面２１１にスマートフォン１００を載置する。すると、このように載置されたスマートフォン１００の二次電池が、充電ユニット２００の充電部が電磁誘導などにより充電される。
【００２６】
この場合、支持台座３００は使用する必要がなく、机面などに載置されている充電ユニット２００の上面となる前面２１１にスマートフォン１００を載置するだけなので、簡単にスマートフォン１００の二次電池を充電することができる。なお、上述のような場合、充電ユニット２００は、コネクタケーブルにより商用電源に接続しておくが（図示せず）、充電ユニット２００が二次電池や一次電池であってもよい。
【００２７】
ただし、上述のような第一の充電状態では、スマートフォン１００の前面２１１は上面となるため、そのタッチパネル１２０を簡単に視認することはできない。そこで、スマートフォン１００の二次電池を充電しながらタッチパネル１２０を視認するような場合には、第二の充電状態が選択される。その場合、図１ないし図３に示すように、支持台座３００の装着支持部３２０に充電ユニット２００およびスマートフォン１００を挿入して支持させる。
【００２８】
すると、第一の充電状態と同様に、充電ユニット２００の前面２１１とスマートフォン１００の後面１１２とが当接するので、このスマートフォン１００の二次電池が充電ユニット２００の充電部により充電される。しかも、支持台座３００の装着支持部３２０に充電ユニット２００とともに挿入されたスマートフォン１００は、前面１１１が後傾した状態で支持される。このため、スマートフォン１００の二次電池を充電しながら、その前面１１１に位置するタッチパネル１２０を簡単に視認することができる。したがって、スマートフォン１００の二次電池を充電しながら、たとえば、スマートフォン１００に登録されている動画を快適に試聴するようなことができる。
【００２９】
本実施の形態の装置充電システム１０では、上述のように、第一の充電状態として、充電ユニット２００にスマートフォン１００を載置しても、スマートフォン１００の二次電池を充電ユニット２００の充電部に充電させることができる。また、第二の充電状態として、支持台座３００の着脱支持部３２０にスマートフォン１００および充電ユニット２００を支持させても、スマートフォン１００の二次電池を充電ユニット２００の充電部に充電させることができる。
【００３０】
このため、本実施の形態の装置充電システム１０では、第一の充電状態として、支持台座３００を使用することなく、充電ユニット２００にスマートフォン１００を載置するだけで、その二次電池を簡単に充電することもできる。また、第二の充電状態として、スマートフォン１００を充電ユニット２００とともに支持台座３００に支持させ、充電ユニット２００に二次電池を充電させながらスマートフォン１００のタッチパネル１２０を使用するようなこともできる。
【００３１】
つまり、本実施の形態の装置充電システム１０では、充電ユニット２００にスマートフォン１００を載置するだけで二次電池を簡単に充電する第一の充電状態と、支持台座３００を使用してスマートフォン１００を充電しながらタッチパネル１２０などを使用することもできる第二の充電状態とを、所望により選択することができるので、エンドユーザ（図示せず）の利便性を向上させることができる。なお、上述のような第二の充電状態において、支持台座３００に充電ユニット２００を支持させたまま、スマートフォン１００のみ着脱することもできる。
【００３２】
とくに、本実施の形態の装置充電システム１０では、支持台座３００は、着脱支持部３２０によりタッチパネル１２０が前面に位置する状態にスマートフォン１００を支持するとともに、充電ユニット２００を、その前面がスマートフォン１００の後面と対向するように支持する。しかも、スマートフォン１００および充電ユニット２００が扁平な直方体状に形成されており、支持台座３００は、着脱支持部３２０によりスマートフォン１００および充電ユニット２００の各々を横長に支持する。
【００３３】
このため、第二の充電状態におけるスマートフォン１００および充電ユニット２００の相対関係は、第一の充電状態におけるスマートフォン１００および充電ユニット２００の相対関係と、同一である。したがって、第二の充電状態に対応させるために、スマートフォン１００も充電ユニット２００も改造する必要がなく、既存のスマートフォン１００および充電ユニット２００を、そのまま利用することができる。さらには、支持台座３００に支持されたスマートフォン１００のタッチパネル１２０が横長となるので、一般的に横長の動画などを良好に表示することができる。
【００３４】
さらには、本実施の形態の装置充電システム１０では、支持台座３００の着脱支持部３２０が、スマートフォン１００および充電ユニット２００が挿入される凹状に形成されている。このため、エンドユーザは、支持台座３００の着脱支持部３２０に、充電ユニット２００およびスマートフォン１００を上方から挿入するだけで、適正な位置に各々支持させることができる。
【００３５】
とくに、本実施の形態の装置充電システム１０では、支持台座３００の着脱支持部３２０に、充電ユニット２００が載置されるユニット載置部３２１と、スマートフォン１００が載置される装置載置部３２２と、が形成されている。しかも、ユニット載置部３２１は、充電ユニット２００を単独で支持し、装置載置部３２２は、ユニット載置部３２１に支持された充電ユニット２００と協働してスマートフォン１００を支持する。このため、エンドユーザは、支持台座３００の着脱支持部３２０のユニット載置部３２１に充電ユニット２００を挿入して支持させてから、この充電ユニット２００および装置載置部３２２によりスマートフォン１００を支持させることができる。したがって、前述のように支持台座３００に充電ユニット２００を装着したまま、スマートフォン１００を着脱することもできる。
【００３６】
さらには、本実施の形態の装置充電システム１０では、支持台座３００が着脱支持部３２０により、充電ユニット２００およびスマートフォン１００を後傾させて支持する。このため、支持されたスマートフォン１００のタッチパネル１２０を快適に使用することができる。しかも、スマートフォン１００の装置本体１１０の後面１１２および充電ユニット２００のユニット本体２１０の前面２１１が略密着して当接することになり、スマートフォン１００の二次電池を充電ユニット２００の充電部に良好に充電させることができる。
【００３７】
また、本実施の形態の装置充電システム１０では、充電ユニット２００のユニット本体２１０の下面となる後面２１２の四隅にはゴム脚２２０が装着されているので、図９に示すように、机面などに充電ユニット２００を安定に載置することができる。一方、図７(ａ)に示すように、この充電ユニット２００のゴム脚２２０より厚みがある縦長の左右一対のガイドリブ３４０が、支持台座３００の着脱支持部３２０のユニット載置部３２１の後面に形成されている。
【００３８】
このため、支持台座３００の着脱支持部３２０のユニット載置部３２１に充電ユニット２００を挿抜するとき、その充電ユニット２００の後面２１２が左右一対のガイドリブ３４０でスライド自在にガイドされる。したがって、充電ユニット２００のゴム脚３２０が支持台座３００のユニット載置部３２１の後面に接触することを防止でき、支持台座３００の着脱支持部３２０のユニット載置部３２１に充電ユニット２００を円滑に挿抜することができる。
【００３９】
さらには、本実施の形態の装置充電システム１０では、図５(ｃ)に示すように、充電ユニット２００のユニット本体２１０の後面２１２にはロック凹部２３０が形成されており、図７(ａ)および図８(ｂ)に示すように、支持台座３００の着脱支持部３２０のユニット載置部３２１の後面にはロック機構３５０が形成されている。このロック機構３５０は、たとえば、上下方向に揺動自在に弾性的に支持されており、充電ユニット２００のロック凹部２３０に弾性的に係脱自在に係合する。
【００４０】
このため、充電ユニット２００は、支持台座３００の着脱支持部３２０のユニット載置部３２１に挿入されると、弾性的に係脱自在に保持される。したがって、前述のように支持台座３００に充電ユニット２００を装着したままスマートフォン１００のみ着脱するときなどに、支持台座３００による充電ユニット２００の支持状態を安定に維持させることができる。
【００４１】
また、本実施の形態の装置充電システム１０では、支持台座３００の、前面下部３１１が前傾している。このため、支持台座３００が前方上方から目視されるとき、前面下部３１１を目視されにくくすることができる。同様に、支持台座３００の、後面３１４が後傾している。このため、支持台座３００が後方上方から目視されるとき、後面３１４を目視されにくくすることができる。したがって、支持台座３００を全体的に占有体積が小さいように視認させることができる。
【００４２】
さらには、本実施の形態の装置充電システム１０では、支持台座３００の、上面３１３が後傾しており、左側面の後部３１７が前方から後方に向かって右側に傾斜し、右側面の後部３１８が前方から後方に向かって左側に傾斜している。このため、支持台座３００が前方から目視されるとき、上面３１３、左側面の後部３１７、右側面の後部３１８、を目視されにくくすることができる。したがって、支持台座３００を全体的に小型であるように視認させることができる。
【００４３】
しかも、本実施の形態の装置充電システム１０では、支持台座３００の、左側面の前部３１５が前方から後方に向かって左側に傾斜し、右側面の前部３１６が前方から後方に向かって右側に傾斜している。このため、支持台座３００が後方から目視されるとき、左側面の前部３１５および右側面の前部３１６を目視されにくくすることができる。したがって、支持台座３００を全体的に小型であるように視認させることができる。
【００４４】
さらには、本実施の形態の装置充電システム１０では、支持台座３００の前面上部３１２が後傾しており、着脱支持部３２０に支持されたスマートフォン１００の前面１１１と平行となっている。このため、支持台座３００の着脱支持部３２０に支持されたスマートフォン１００のタッチパネル１２０が前方や上方から目視されるとき、支持台座３００の前面上部３１２が無用に前方に突出して目障りとなることがない。したがって、支持台座３００の着脱支持部３２０に支持されたスマートフォン１００のタッチパネル１２０を快適に視認することができる。
【００４５】
なお、本発明は本実施の形態に限定するものではなく、その要旨を逸脱しない範囲で各種の変形を許容する。たとえば、上記形態では支持台座３００の着脱支持部３２０のユニット載置部３２１および装置載置部３２２に、各々が扁平な直方体状のスマートフォン１００および充電ユニット２００が、横長の状態に各々支持されることを例示した。
【００４６】
しかしながら、図１０に例示する支持台座４００のように、装置載置部４１３に、横長の浅い横長載置部４１１と、縦長の深い縦長載置部４１２とが、形成されていてもよい。このような支持台座４００は、図１０(ａ)に示すように、装置載置部４１３の横長載置部４１１に、スマートフォン１００を横長の状態に支持させることもでき、図１０(ｂ)に示すように、装置載置部４１３の縦長載置部４１２に、スマートフォン１００を縦長の状態に支持させることもできる。
【００４７】
同様に、上述のような支持台座４００の着脱支持部４１５のユニット載置部４１４にも、横長の浅い横長載置部と、縦長の深い縦長載置部とが、形成されていてもよい（図示せず）。このような支持台座４００では、図１１に示すように、スマートフォン１００および充電ユニット２００の両方を縦長の状態に支持させることもでき、図１２に示すように、充電ユニット２００は横長の状態に支持させながら、スマートフォン１００を縦長の状態に支持させることもできる。
【００４８】
このように支持台座４００に充電ユニット２００は横長の状態に支持させながら、スマートフォン１００を縦長の状態に支持させた状態でも、スマートフォン１００を充電ユニット２００に充電させることができる。そして、上述のように支持台座４００にスマートフォン１００を縦長の状態に支持させることにより、スマートフォン１００を充電ユニット２００に充電させながら、たとえば、そのタッチパネル１２０を縦長の状態で使用することができる。
【００４９】
また、上記形態ではスマートフォン１００の装置本体１１０に二次電池が内蔵されていることを例示した。しかしながら、このような二次電池がスマートフォンの装置本体の外面に露出するように装着されていてもよい（図示せず）。
【００５０】
さらには、上記形態では充電ユニット２００の充電部が、電磁誘導などにより非接触にスマートフォン１００の二次電池を充電することを例示した。しかしながら、充電ユニットの外面に露出した送電電極と、スマートフォンの外面に露出した給電電極とが、着脱自在に接続され、その導通により充電ユニットの充電部がスマートフォンの二次電池を充電してもよい。さらには、充電ユニットの接続コネクタが、スマートフォンの接続ソケットに、着脱自在に結線され、充電ユニットの充電部がスマートフォンの二次電池を充電してもよい（ともに図示せず）。
【００５１】
また、上記形態では支持台座３００の着脱支持部３２０のロック機構３５０が、充電ユニット２００のロック凹部２３０に、弾性的に係脱自在に係合することを例示した。しかしながら、このような充電ユニット２００のロック凹部２３０に、支持台座の着脱支持部のロック機構が確実に保持し、このロック機構の保持が手動操作により解除されてもよい（図示せず）。
【００５２】
さらには、上記形態では支持台座３００のユニット載置部３２１および装置載置部３２２が、ユニット載置部３２１として一体に連通していることを例示した。しかしながら、このようなユニット載置部となるユニット載置部および装置載置部が、個別に並列に支持台座に形成されていてもよい（図示せず）。
【００５３】
また、上記形態では支持台座３００の着脱支持部３２０は、充電ユニット２００およびスマートフォン１００が、上方から挿入される凹状に形成されていることを例示した。しかしながら、支持台座の着脱支持部が接続コネクタなどからなる一対の凸状に形成されており、このような凸状の一対の着脱支持部が係脱自在に各々係合する凹部が充電ユニットおよび情報装置の下面に形成されていてもよい（図示せず）。
【００５４】
さらには、上記形態では支持台座３００の台座本体３１０が、たとえば、白色の樹脂により一体成形されていることを例示した。しかしながら、このような支持台座の台座本体の、下向きの面の明度が低く、上向きの面の明度が高くともよい。より具体的には、前面下部や後面や側面後部などの下向きの面が、黒色や紺色などの暗色に配色されており、上面や前面上部や側面前部などの上向きの面が、白色や黄色などの明色に配色されてればよい（図示せず）。この場合、相対的に上向きの面は目視されやすく、下向きの面は目視されにくくなるので、支持台座を全体的に小型であるように錯視させることができる。
【００５５】
同様に、支持台座の台座本体の、下向きの面の粗度が高く、上向きの面の粗度が低くともよい。より具体的には、前面下部や後面や側面後部などの下向きの面が、微細な凹凸のある粗面に形成されており、上面や前面上部や側面前部などの上向きの面が、加工できる範囲で平滑に形成されてればよい（図示せず）。この場合も、相対的に上向きの面は目視されやすく、下向きの面は目視されにくくなるので、支持台座を全体的に小型であるように錯視させることができる。
【００５６】
さらには、上記形態では情報装置がスマートフォン１００からなることを例示した。しかしながら、このような情報装置が、携帯電話端末、タブレット端末、ＰＤＡ（Personal Digital Assistance）、ネットブックＰＣ（Personal Computer）、ノートＰＣ、電子書籍リーダー、電子辞書、携帯メディアプレーヤー、携帯ゲーム機、などからなってもよい（図示せず）。
【００５７】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００５８】
上記の実施形態の一部又は全部は、以下の付記のようにも記載されうるが、以下には限られない。
【００５９】
（付記１）二次電池が搭載された情報装置と、前記二次電池に給電する充電ユニットと、前記情報装置および前記充電ユニットを着脱自在に支持する着脱支持部が設けられた支持台座と、を有し、前記支持台座は、前記着脱支持部で、前記情報装置および前記充電ユニットを給電可能に支持する、装置充電システム。
（付記２）前記充電ユニットは、二面を有する形状で、その一面に載置された前記情報装置の前記二次電池へ給電する付記１に記載の装置充電システム。
（付記３）前記情報装置は、主面にディスプレイを有し、前記充電ユニットは、二面を有する形状のユニット本体と、前記ユニット本体の一面に配置された前記情報装置の二次電池を充電する充電部と、を有し、前記支持台座は、前記着脱支持部により前記主面が前面に位置する状態に前記情報装置を支持するとともに、前記充電ユニットを、その前面が前記情報装置の後面と対向するように支持する、付記１又は２に記載の装置充電システム。
（付記４）付記１から３の何れか一つに記載の装置充電システムの情報装置であって、
前記着脱支持部に着脱自在に支持される装置本体と、前記装置本体に搭載されていて前記充電ユニットにより充電される前記二次電池と、を有する情報装置。
（付記５）付記１から３の何れか一つに記載の装置充電システムの充電ユニットであって、前記着脱支持部に着脱自在に支持されるユニット本体と、前記ユニット本体に搭載されていて前記二次電池を充電する充電部と、を有する充電ユニット。
（付記６）付記１から３の何れか一つに記載の装置充電システムの支持台座であって、台座本体と、前記台座本体に設けられて前記情報装置および前記充電ユニットを着脱自在に支持する前記着脱支持部と、を有する支持台座。
（付記７）前記着脱支持部は、前記情報装置および前記充電ユニットが挿入される凹状に形成された、付記６に記載の支持台座。
（付記８）前記着脱支持部に、前記充電ユニットが載置されるユニット載置部と、前記情報装置が載置される装置載置部と、が形成された付記７に記載の支持台座。
（付記９）前記ユニット載置部は、前記充電ユニットを単独で支持し、前記装置載置部は、前記ユニット載置部に支持された前記充電ユニットと協働して前記情報装置を支持する、付記８に記載の支持台座。
（付記１０）前記着脱支持部に支持された前記充電ユニットを保持するロック機構を、さらに有する、付記６から９の何れか一つに記載の支持台座。
（付記１１）前記充電ユニットをスライド自在に支持するガイドリブが前記着脱支持部に形成された、付記６から１０の何れか一つに記載の支持台座。
（付記１２）前記情報装置および前記充電ユニットが細長形状に形成されており、前記支持台座は、前記着脱支持部により前記情報装置および前記充電ユニットの各々を横長に支持する、付記６から１１の何れか一つに記載の支持台座。
（付記１３）前記情報装置および前記充電ユニットが細長形状に形成されており、前記支持台座は、前記着脱支持部により前記情報装置および前記充電ユニットの各々を縦長に支持する、付記６から１２の何れか一つに記載の支持台座。
（付記１４）前記情報装置および前記充電ユニットが細長形状に形成されており、前記支持台座は、前記着脱支持部により前記情報装置を縦長に支持するとともに前記充電ユニットを横長に支持する、付記６から１３の何れか一つに記載の支持台座。
（付記１５）前面下部が前傾した、付記６から１４の何れか一つに記載の支持台座。
（付記１６）前面上部が後傾した、付記６から１５の何れか一つに記載の支持台座。
（付記１７）上面が後傾した、付記６から１６の何れか一つに記載の支持台座。
（付記１８）後面が後傾した、付記６から１７の何れか一つに記載の支持台座。
（付記１９）左側面の前部が前方から後方に向かって左側に傾斜し、右側面の前部が前方から後方に向かって右側に傾斜した、付記６から１８の何れか一つに記載の支持台座。
（付記２０）左側面の後部が前方から後方に向かって右側に傾斜し、右側面の後部が前方から後方に向かって左側に傾斜した、付記６から１９の何れか一つに記載の支持台座。
（付記２１）下向きの面の明度が低く上向きの面の明度が高い、付記６から２０の何れか一つに記載の支持台座。
（付記２２）下向きの面の粗度が高く上向きの面の粗度が低い、付記６から２１の何れか一つに記載の支持台座。
（付記２３）二次電池を情報装置に搭載し、支持台座に設けられた着脱支持部に充電ユニットおよび前記情報装置を着脱自在に支持させ、前記着脱支持部に支持された前記情報装置の二次電池を前記充電ユニットに充電させる、装置充電方法。
【符号の説明】
【００６０】
１０  装置充電システム
１００  情報装置であるスマートフォン
１１０  装置本体
１１１  一面である前面
１１２  一面である後面
１２０  タッチパネル
２００  充電ユニット
２１０  ユニット本体
２１１  一面である前面
２１２  一面である後面
３００  支持台座
３１０  台座本体
３１１  前面下部
３１２  前面上部
３１３  上面
３１４  後面
３１５  前部
３１６  前部
３１７  後部
３１８  後部
３２０  着脱支持部
３２１  ユニット載置部
３２２  装置載置部
３４０  ガイドリブ
３５０  ロック機構
４００  支持台座
４１１  横長載置部
４１２  縦長載置部
４１３  装置載置部
４１４  ユニット載置部
４１５  着脱支持部
【図１】
2014103728.tif 000003
【図２】
2014103728.tif 000004
【図３】
2014103728.tif 000005
【図４】
2014103728.tif 000006
【図５】
2014103728.tif 000007
【図６】
2014103728.tif 000008
【図７】
2014103728.tif 000009
【図８】
2014103728.tif 000010
【図９】
2014103728.tif 000011
【図１０】
2014103728.tif 000012
【図１１】
2014103728.tif 000013
【図１２】
2014103728.tif 000014